(57)【要約】【課題】セキュリティ性をより改善し、かつ簡便に精度良いカード真贋判定方法を提供する。【解決手段】表面側に形成された第１識別情報と、断面の中心位置よりも裏側であって裏面以外に形成される意匠からなる第２識別情報であって、表面側からの光照射による透過光により裏面側において認識可能な第２識別情報とを用いてカードの真贋の判定を行う。【選択図】図４
2009193112.tif 000002
【特許請求の範囲】
【請求項１】
表面側に形成された第１識別情報と、
断面の中心位置よりも裏側であって裏面以外に形成される意匠からなる第２識別情報であって、表面側からの光照射による透過光により裏面側において認識可能な第２識別情報と、
を有するカードの真贋判定方法において、
前記カードの表面側からの光照射による反射光により前記第１識別情報を取得し、
表面側からの光照射による透過光により前記第２識別情報を取得し、
前記第１識別情報と前記第２識別情報を用いて前記カードの真贋の判定を行うことを特徴とするカードの真贋判定方法。
【請求項２】
表面側に形成された第１識別情報と、
断面の中心位置よりも裏側であって裏面以外に形成される意匠からなる第２識別情報であって、表面側からの光照射による透過光により裏面側において認識可能な第２識別情報と、
第３識別情報を記憶したＩＣチップと、
を有するＩＣカードの真贋判定方法において、
前記ＩＣカードの表面側からの光照射による反射光により前記第１識別情報を取得し、
表面側からの光照射による透過光により前記第２識別情報を取得し、
前記ＩＣチップから前記第３識別情報を取得し、
前記第１識別情報、前記第２識別情報、及び前記第３識別情報を用いて前記ＩＣカードの真贋の判定を行うことを特徴とするＩＣカードの真贋判定方法。
【請求項３】
表面側に形成された第１識別情報と、
断面の中心位置よりも裏側であって裏面以外に形成される意匠からなる第２識別情報であって、表面側からの光照射による透過光により裏面側において認識可能な第２識別情報と、
第３識別情報を記憶したＩＣチップと、
を有するＩＣカードの真贋判定方法において、
前記ＩＣカードの表面側からの光照射による反射光により前記第１識別情報を取得し、
前記ＩＣカードの表面側からの光照射による透過光により前記第２識別情報を取得し、
前記ＩＣチップから前記第３識別情報を取得し、
前記ＩＣカードの表面側からの光照射による透過する光を用いて、ＩＣカード内におけるＩＣチップ位置に関する第４識別情報を取得し、
前記第１識別情報、前記第２識別情報、前記第３識別情報、及び前記第４識別情報とを用いて前記ＩＣカードの真贋の判定を行うことを特徴とするＩＣカードの真贋判定方法。
【請求項４】
断面の中心位置よりも裏側であって裏面以外に形成される意匠からなる第２識別情報であって、表面側からの光照射による透過光により裏面側において認識可能な第２識別情報と、
ＩＣチップと、を有するＩＣカードの認証方法において、
ＩＣカードの表面側からの光照射による透過光により前記第２識別情報を取得し、
取得した前記第２識別情報を用いてＩＣチップ内部の記憶情報へアクセスすることを特徴とするＩＣカードの認証方法。
【請求項５】
表面側に形成された第１識別情報と、
断面の中心位置よりも裏側であって裏面以外に形成される意匠からなる第２識別情報であって、表面側からの光照射による透過光により裏面側において認識可能な第２識別情報と、
ＩＣチップと、を有するＩＣカードの認証方法において、
前記ＩＣカードの表面側からの光照射による反射光により前記第１識別情報を取得し、
ＩＣカードの表面側からの光照射による透過光により前記第２識別情報を取得し、
取得した前記第１識別情報と前記第２識別情報を用いてＩＣチップ内部の記憶情報へアクセスすることを特徴とするＩＣカードの認証方法。
【請求項６】
前記第２識別情報は、裏面側からの光照射による透過光によって、表面側からは認識することができない識別情報であることを特徴とする請求項１記載のカードの真贋判定方法。
【請求項７】
前記第２識別情報は、裏面側からの光照射による透過光によって、表面側からは認識することができない識別情報であることを特徴とする請求項２又は３記載のＩＣカードの真贋判定方法。
【請求項８】
前記第２識別情報は、裏面側からの光照射による透過光によって、表面側からは認識することができない識別情報であることを特徴とする請求項４又は５に記載のＩＣカードの認証方法。
【請求項９】
前記第２識別情報は、表面側からの光照射による反射光によって、表面側からは認識することができない識別情報であることを特徴とする請求項６記載のカードの真贋判定方法。
【請求項１０】
前記第２識別情報は、表面側からの光照射による反射光によって、表面側からは認識することができない識別情報であることを特徴とする請求項７記載のＩＣカードの真贋判定方法。
【請求項１１】
前記第２識別情報は、表面側からの光照射による反射光によって、表面側からは認識することができない識別情報であることを特徴とする請求項８記載のＩＣカードの認証方法。
【発明の詳細な説明】
【技術分野】
【０００１】
本発明は、贋造、変造防止等の安全性（セキュリティ）が要求される個人情報等を記憶するＩＣカードの真贋判定方法及びＩＣカードの認証方法に関する。
【背景技術】
【０００２】
キャッシュカード、従業者証、社員証、会員証、学生証、外国人登録証及び各種免許証等には個人情報が記録されるために、容易に贋造、変造できないようにセキュリティ処理が施されている。
【０００３】
例えば、ＩＣチップのメモリ内に記録された情報と、カード所有者のサインが埋め込まれた顔写真情報とを、所定の読み出し装置を用いて読み出し、比較判定することにより、カードの真贋を判定する技術が特許文献１に開示されている。ＩＣカードにセキュリティ性を付与し、贋造、変造を防止することが行われている。
【特許文献１】特開２００１−１２６０４６号公報
【発明の開示】
【発明が解決しようとする課題】
【０００４】
特許文献１に記載の技術は、ＩＣチップのメモリ内に記録された情報と、カード所有者のサインが埋め込まれた顔写真情報という二つの情報を用いて真贋判定を行うことで、セキュリティ性を向上させてはいる。しかし、二つの情報を照合するだけでは、高度な技術をもつ悪意の第三者に贋造、変造されてしまう恐れがあった。
【０００５】
本発明では、セキュリティ性をより改善し、かつ簡便に精度良いカード真贋判定方法、及びＩＣカードの認証方法を提供することを目的とする。
【課題を解決するための手段】
【０００６】
上記の目的は、下記に記載する発明により達成される。
【０００７】
（１）表面側に形成された第１識別情報と、
断面の中心位置よりも裏側であって裏面以外に形成される意匠からなる第２識別情報であって、表面側からの光照射による透過光により裏面側において認識可能な第２識別情報と、
を有するカードの真贋判定方法において、
前記カードの表面側からの光照射による反射光により前記第１識別情報を取得し、
表面側からの光照射による透過光により前記第２識別情報を取得し、
前記第１識別情報と前記第２識別情報を用いて前記カードの真贋の判定を行うことを特徴とするカードの真贋判定方法。
【０００８】
（２）表面側に形成された第１識別情報と、
断面の中心位置よりも裏側であって裏面以外に形成される意匠からなる第２識別情報であって、表面側からの光照射による透過光により裏面側において認識可能な第２識別情報と、
第３識別情報を記憶したＩＣチップと、
を有するＩＣカードの真贋判定方法において、
前記ＩＣカードの表面側からの光照射による反射光により前記第１識別情報を取得し、
表面側からの光照射による透過光により前記第２識別情報を取得し、
前記ＩＣチップから前記第３識別情報を取得し、
前記第１識別情報、前記第２識別情報、及び前記第３識別情報を用いて前記ＩＣカードの真贋の判定を行うことを特徴とするＩＣカードの真贋判定方法。
【０００９】
（３）表面側に形成された第１識別情報と、
断面の中心位置よりも裏側であって裏面以外に形成される意匠からなる第２識別情報であって、表面側からの光照射による透過光により裏面側において認識可能な第２識別情報と、
第３識別情報を記憶したＩＣチップと、
を有するＩＣカードの真贋判定方法において、
前記ＩＣカードの表面側からの光照射による反射光により前記第１識別情報を取得し、
前記ＩＣカードの表面側からの光照射による透過光により前記第２識別情報を取得し、
前記ＩＣチップから前記第３識別情報を取得し、
前記ＩＣカードの表面側からの光照射による透過する光を用いて、ＩＣカード内におけるＩＣチップ位置に関する第４識別情報を取得し、
前記第１識別情報、前記第２識別情報、前記第３識別情報、及び前記第４識別情報とを用いて前記ＩＣカードの真贋の判定を行うことを特徴とするＩＣカードの真贋判定方法。
【００１０】
（４）断面の中心位置よりも裏側であって裏面以外に形成される意匠からなる第２識別情報であって、表面側からの光照射による透過光により裏面側において認識可能な第２識別情報と、
ＩＣチップと、を有するＩＣカードの認証方法において、
ＩＣカードの表面側からの光照射による透過光により前記第２識別情報を取得し、
取得した前記第２識別情報を用いてＩＣチップ内部の記憶情報へアクセスすることを特徴とするＩＣカードの認証方法。
【００１１】
（５）表面側に形成された第１識別情報と、
断面の中心位置よりも裏側であって裏面以外に形成される意匠からなる第２識別情報であって、表面側からの光照射による透過光により裏面側において認識可能な第２識別情報と、
ＩＣチップと、を有するＩＣカードの認証方法において、
前記ＩＣカードの表面側からの光照射による反射光により前記第１識別情報を取得し、
ＩＣカードの表面側からの光照射による透過光により前記第２識別情報を取得し、
取得した前記第１識別情報と前記第２識別情報を用いてＩＣチップ内部の記憶情報へアクセスすることを特徴とするＩＣカードの認証方法。
【発明の効果】
【００１２】
ＩＣカード表面側に形成された表面情報、ＩＣカード内に設けたすかしの情報、ＩＣチップ内に記憶された情報、ＩＣカード内におけるＩＣチップ位置情報等の多くの情報を用いて真贋判定を行うことで、セキュリティ性を改善できる。
【発明を実施するための最良の形態】
【００１３】
高度な技術をもつ悪意の第三者に贋造、変造されてしまう危険を回避し、セキュリティ性を改善するには、ＩＣカードの真贋を判定する照合情報を、より複雑にすることが効果的である。
【００１４】
そこで、ＩＣカードの真贋を判定する照合情報の基となる情報として、表面側に形成された表面情報（第１識別情報）、ＩＣカード内に設けた「すかし」の情報（第２識別情報）、ＩＣチップ内に記憶された情報（第３識別情報）、ＩＣカード内におけるＩＣチップ位置情報（第４識別情報）等の多くの情報を採用すれば、贋造を難しくでき、セキュリティ性を改善できる。
【００１５】
以下、この発明のＩＣカード真贋判定システムの実施の形態について詳細に説明するが、この発明は、この実施の形態に限定されない。
【００１６】
以下、第１の実施の形態について説明する。
【００１７】
ＩＣカードについて説明する。図１にＩＣカードを一部破断した平面図、図２にＩＣカードの層構成を説明する図を示す。ＩＣカード１は、身分証明書カードやクレジットカード等に広く適用することができ、対向する第１の支持体１０と第２の支持体２０との間に、接着剤層３１，３２を介在してＩＣチップＣ１、アンテナコイルＣ２を有するＩＣモジュールＣが配置されてなる。
【００１８】
ＩＣカード１は非接触型ＩＣカードを示しており、ＩＣチップＣ１にはアンテナとして機能するアンテナコイルＣ２が接続されている。
【００１９】
ＩＣチップＣ１には、内部に電子的情報が蓄えられている。電子的情報としては例えば、文字情報、画像情報、音声情報及びその他の各種情報が記憶される。
【００２０】
なお、各種情報としては例えば、読み出しの可否を管理するための管理情報、また、クレジットカード等に関する情報等がある。
【００２１】
ＩＣカード１の表面には、第１識別情報を含んだ表面情報１２が掲載されている。表面情報１２は、文字、図形、記号、画像情報等の意匠からなる。例えば、免許証の場合には、氏名、生年月日等の文字や数字、本人写真の画像情報等である。
【００２２】
ＩＣカード１の内部には、第２識別情報含み、真正品であることを示す印刷処理であるすかし１１が設けられている。
【００２３】
すかしには、文字、図形、記号、画像情報等からなる意匠を用いる。
【００２４】
ＩＣカード内部に設けたすかしは、内部に作りこむ必要があることから、すかし自体の作製技術は難易度の高い技術である。
【００２５】
そのため、すかしの存在自体が真性か否かを見分ける基準となってきた。しかし、昨今の贋造技術の向上により、すかしだけでは贋造を免れない場合がある。
【００２６】
図２に示すようにすかし１１はＩＣカード内部に設けられるので、すかし１１をＩＣカード外部から目視で、又は画像入力装置を用いて画像情報として読み取る場合、ＩＣカード内部における光の吸収や散乱の状態がすかし１１の像状態に影響する。
【００２７】
図３は、ＩＣカード１に設けられているすかし１１に含まれている情報等を認識するためのＩＣカード判定システム２００の概略構成図である。ＩＣカード１を挟んで画像入力装置であるＣＣＤ撮像装置Ｄ１、表面側照明装置Ｓ１、ＣＣＤ撮像装置Ｄ２、裏面側照明装置Ｓ２、ＩＣカード非接触リーダ２０１が配置されている。表面側照明装置Ｓ１はＩＣカード１のＩＣカード表面１０１側に配置され、裏面側照明装置Ｓ２はＩＣカード１のＩＣカード裏面１０２側に配置される。ＣＣＤ撮像装置Ｄ１とＣＣＤ撮像装置Ｄ２の出力はＰＣ（ＰＥＲＳＯＮＡＬ  ＣＯＭＰＵＴＥＲ）２０２へ送られ、処理される。
【００２８】
ＩＣカード内部における光の吸収や散乱の状態は、すかしから観察位置までの間に位置する材料の厚みや材質に依存する。
【００２９】
ＩＣカードの材料に所定の材料を用いるとした場合、すかしから観察位置までの材料までの間に位置する材料の厚みがすかしの像状態に主な影響を与える。
【００３０】
従って、ＩＣカード内部におけるすかしの位置の違いによって、ＩＣカード外部から観察するすかしを認識できるかどうか異なってくる。
【００３１】
すかしが、ＩＣカード断面中心線１３（図２参照）の位置にない場合、ＩＣカードの裏面側から照明して表面側から観察する場合と、ＩＣカードの表面側から照明して裏面側から観察する場合によっても、すかしの認識状況に相違が生じることになる。
【００３２】
このようなすかしの特性を生かし、表面側からの透過光によりＩＣカードの表面側からはすかしをはっきりと認識できても、裏面側からの透過光により裏面側からは、ぼんやりとでしかすかしを認識できないようにすかしの位置を設定することは、真贋判定の一つの手法となる。またすかしを英数字等の文字情報で形成して、その文字情報を後述のＯＣＲにより文字情報として認識する場合においては、ＩＣカードの表面側からはすかしを文字情報として認識できるが、表面側から文字情報として認識できないようにすることができる。
【００３３】
また、観察位置におけるすかしの像状態を、すかしへの照明光の位置によって、以下のように異ならせることができる。
【００３４】
照明光を観察側に対して反対側に置いた場合、照明光は、すかしによって遮光され、すかしの周辺を透過して観察される。そうすると、すかしの機能は遮光する機能と同一となるので、すかしの輪郭ははっきりする。
【００３５】
これに対し、照明光を観察側に置いた場合、すかしにおいて反射し、その反射光が観察される。すかしを観察した画像は、すかしを有する焦点面内において、すかし自体の表面の画像と、すかし以外の部分の画像からなる。
【００３６】
すかし自体の表面の画像とすかし以外の部分の画像は、すかしと光源の間に存在する表面側の材料で表面反射または光散乱し、照明光を観察側に対して反対側に置いた場合の画像に比べて、輪郭ははっきりしない。強い光源を照射した場合においても同様にすかしの輪郭ははっきりしない。そのため、すかしの画像を２値化処理等して認識する場合には、照明光を観察側に対して反対側に置いて観察した画像のほうが認識しやすいと言える。
【００３７】
よって、照明光をＩＣカードに対して観察側に置いた場合には、すかしが見えず、照明光をＩＣカードに対して観察側とは反対側に置いた場合に、すかしを認識できるという状態を作りだすことができる。
【００３８】
従って、照明光をＩＣカードに対して観察側に置いた場合には、すかしを認識できず、照明光を観察側と反対側に置いた場合に、すかしを認識できることを真贋判定の手法として用いることができる。
【００３９】
このようにして、すかしやＩＣカード表面を観察して真贋の判断の基準としつつ、得られた画像情報から、さらにＩＣカードの真贋の照合に用いるための照合情報を抽出する。照合情報の抽出方法としては公知の方法を用いることができる。照合情報の抽出とは、例えば、画像が数字自体の画像情報である場合には、ＯＣＲ（ＯＰＴＩＣＡＬ  ＣＨＡＲＡＣＴＥＲ  ＲＥＣＯＧＮＩＴＩＯＮ：光学的文字認識）を用いて数字として認識できる。また、画像が図形の画像であった場合、例えば、図形の頂点の数が照合情報の場合、公知の画像処理ソフトを利用して、頂点の数を数えることができる。
【００４０】
以下に、この実施の形態のＩＣカード判定システムを用いたＩＣカードの真贋判定方法を図３と図４を用いて説明する。
【００４１】
図３のＩＣカード判定システム２００において、照明手段としては、例えば可視光を発光する白色ＬＥＤ照明装置が好適である。ＣＣＤ撮像装置には、求められる解像度に合わせた性能の撮像レンズやＣＣＤを用いる。ＰＣにおいては画像処理や後述する各種処理がなされる。
【００４２】
次に、図４を用いて、この実施の形態のＩＣカード判定システム２００を用いたＩＣカードの真贋判定のフローを説明する。
【００４３】
最初にステップＳ１において、カードの表面側に配置したＣＣＤ撮像装置Ｄ１を用いて、ＩＣカードの表面画像をＰＣへ取り込む。
【００４４】
ＩＣカード１の表面画像を撮影する場合、照明の効果を考慮して裏面側照明装置Ｓ２は点灯せずに表面側照明装置Ｓ１のみ用いて表面側からＩＣカード１を照明し、画像入力手段であるＣＣＤ撮像装置Ｄ１により撮像する。ＩＣカード表面画像は判定手段であるＰＣ２０２へ取り込まれる。
【００４５】
次に、ステップＳ２において、得られた表面画像から真贋判定に用いる第１識別情報であるカード表面識別情報を取得する。
【００４６】
カード表面識別情報を取得には、例えば、ＰＣ２０２内にインストールした公知のＯＣＲソフトを用いて、ＩＣカード表面画像から数字情報を抽出する方法を用いる。得られた数字情報から、予め決めおいた幾つかの数字情報を組み合わせるなどすることでカード表面識別情報とする。
【００４７】
次に、ステップＳ３において、カードの裏面側に配置したＣＣＤ撮像装置Ｄ２を用いて、表面側からの光照射による透過光によりＩＣカード内のすかし画像を判定手段であるＰＣ２０２へ取り込む。
【００４８】
ＩＣカードのすかし画像を撮影する場合、照明の効果を考慮して裏面側照明装置Ｓ１は点灯せずに表面側照明装置Ｓ２のみ用いて表面側からＩＣカードを照明する。
【００４９】
次に、ステップＳ４において、ステップＳ２においてカード表面識別情報を得た方法と同じ方法を用いて、真贋判定に用いる第２識別情報であるすかし識別情報を得る。
【００５０】
次に、ステップＳ５において、予め設定している対応表とつきあわせカード表面識別情報とすかし識別情報が対応しているかどうかを判定手段であるＰＣ２０２が判定する。
【００５１】
カード表面識別情報とすかし識別情報が対応していれば、ステップＳ６へ進んで、このＩＣカード１は真性品であるとＰＣ２０２が判断する。カード表面識別情報とすかし識別情報が対応していなければ、ステップＳ７へ進んで、このＩＣカード１は贋物とＰＣ２０２が判断する。
【００５２】
なお予めＰＣの内部メモリに記憶されている情報を用いて当該情報と第１識別情報、第２識別情報の組み合わせが対応するか否かを判断することにより、第１識別情報と第２識別情報により真贋判定するようにしてもよい。
【００５３】
このように、第１識別情報としてのＩＣカード表面画像と、第２識別情報としてのＩＣカード内部のすかし識別情報を照合することで、確実に真正品であるか贋物であるかを判定でき、セキュリティ性を向上することができる。
【００５４】
次に、第２の実施の形態について説明する。第２の実施形態においては、カード表面識別情報とすかし識別情報とともに、ＩＣ内部に記憶された照合情報（第３識別情報）をも照合することで、確実に真正品であるか、贋物であるかを判定することができ、セキュリティ性を向上することができる。以下に図５を用いて、この実施の形態のＩＣカード判定システムを用いたＩＣカードの真贋判定システムの実施の形態のフローを説明する。
【００５５】
ＩＣカード判定システムの概略構成は図３の構成と同じである。
【００５６】
すかし画像とＩＣカード表面画像を取り込んで、すかし識別情報とカード表面識別情報を抽出する工程は、図４に示した第１の実施形態のステップＳ１からステップＳ４までと同じである。
【００５７】
次に、ステップＳ１１において、ＩＣカード非接触リーダ２０１を用いてＩＣチップに記憶されている照合情報を取得する。
【００５８】
次に、ステップＳ１２において、すかし識別情報と照合情報が対応しているかどうかを判定手段であるＰＣが判定する。
【００５９】
すかし識別情報と照合情報が対応していれば、ステップＳ１３へ進む。すかし識別情報と照合情報が対応していなければ、ステップＳ１５へ進み、このＩＣカードは贋物とＰＣが判断する。
【００６０】
ステップＳ１２においてＹＥＳと判断した場合、ステップＳ１３へ進み、カード表面識別情報と照合情報が対応しているかどうかを判定手段であるＰＣが判定する。
【００６１】
カード表面識別情報と照合情報が対応していれば、ステップＳ１４へ進んで、このＩＣカードは真性品であると判断し、カード表面識別情報と照合情報が対応していなければ、ステップＳ１５へ進み、このＩＣカードは贋物と判断する。
【００６２】
このように、ＩＣカードのカード表面識別情報とＩＣカード内部のすかし識別情報を照合することで、確実に真正品であるか贋物であるかを判定でき、セキュリティ性を向上することができる。
【００６３】
次に、第３の実施の形態について説明する。第３の実施の形態においては、カード表面識別情報とすかし識別情報とともにＩＣカード内におけるＩＣチップの位置情報をも照合することで、確実に真正品であるか贋物であるかを判定でき、セキュリティ性を向上することができる。
【００６４】
以下に図６を用いて真贋判定のフローを説明する。ＩＣカード判定システムの概略構成は図３の構成と同じである。
【００６５】
最初にステップＳ２１において、表面側照明装置Ｓ２のみ点灯させ、ＣＣＤ撮像装置Ｄ２を用いて、ＩＣチップの画像を含んだＩＣカード全体画像を取り込む。図７は得られた画像の例である。
【００６６】
次に、ステップＳ２２において、ステップＳ２１において取り込んだ画像からＩＣカード内におけるＩＣチップ位置情報を取得する。ＩＣチップの中心位置を求める方法として画像認識技術を用いる。
【００６７】
画像認識技術としては、例えば、予めＩＣチップの画像をＲＡＭに記憶させ、ＩＣチップの画像をＩＣカードの全体画像の一部に対してマッチングさせ、最もマッチング精度の高い位置をＩＣチップの位置として出力する方法を用いる。
【００６８】
画像に向かって左上の位置に、座標の原点があるとし、画面水平方向をＸ方向とし、画面垂直方向をＹ方向として、ＩＣチップの中心位置を求める。
【００６９】
例えば、ＩＣチップの重心位置のＸ座標が１２０、Ｙ座標が１００というように出力される（図７参照）。
【００７０】
次にステップＳ２３において、ＩＣカード非接触リーダを用いて、予めＩＣ内に設けた照合情報を取得する。ＩＣチップの重心位置情報、カード表面識別情報、すかし識別情報の照合情報は、予め決めおいたＩＣチップの重心位置情報、カード表面識別情報、すかし識別情報である。
【００７１】
次に、ステップＳ２４において、得られたＩＣチップの重心位置情報が、ＩＣチップの重心位置情報の照合情報と対応しているかどうかをＰＣが判断する。
【００７２】
ステップＳ２４において、得られたＩＣチップの重心位置情報が、照合情報と対応していないとＰＣが判断すれば、ステップＳ２６へ進み、このＩＣカードは贋物であると判断する。ステップＳ２４において、得られたＩＣチップの重心位置情報が、照合情報と対応しているとＰＣが判断すれば、ステップＳ２５へ進む。
【００７３】
ステップＳ２５では、カード表面画像を取り込み、画像情報からカード表面識別情報を取得する。
【００７４】
ステップＳ２７では、すかし画像を取り込み、すかし画像から、すかし識別情報を取得する。
【００７５】
ステップＳ２８では、得られたカード表面識別情報とすかし識別情報が、カード表面識別情報とすかし識別情報の各照合情報と対応しているかどうかをＰＣが判断する。
【００７６】
カード表面識別情報とすかし識別情報が各照合情報と対応していなければ、ステップＳ２６においてこのＩＣカードは贋物であると判断する。
【００７７】
カード表面識別情報とすかし識別情報が各照合情報と対応していれば、次のステップＳ２９においてこのＩＣカードは真性品であると判断する。
【００７８】
このように抽出したＩＣチップ位置情報と、前述のようにして抽出したカード表面識別情報や、すかし識別情報とを組み合わせて、確実に真正品であるか贋物であるかを判定でき、セキュリティ性を向上することができる。
【００７９】
次に、第４の実施の形態について説明する。第４の実施の形態は、ＩＣカードのＩＣチップへのアクセスの許可を判断する方法である。
【００８０】
悪意の第三者がＩＣカードを贋造する際には、ＩＣカードの内部に設けられたメモリの内部情報にアクセスして内部情報を取り出す。よって、ＩＣカードの贋造を防止するには、メモリの内部情報にアクセスできないようにすることが重要である。一般に、ＩＣカードへのアクセスの工程においては、使用者がアクセスをするに際し、アクセス制限を設け、アクセスしてよいかどうかを許可する工程が存在する。アクセス制限を解除するには、パスワード等の照合情報を要求することとなる。その照合情報を、個別のＩＣカード毎に設定できれば、悪意の第三者のアクセスから、各ＩＣカードをより有効に守ることができる。個別のＩＣカード毎の照合情報は、ＰＩＮ（ＰＥＲＳＯＮＡＬ  ＩＤＥＮＴＩＴＹ  ＮＵＭＢＥＲ）と称される。
【００８１】
ＰＩＮを各個別のＩＣカード毎に作製し、ＩＣへ送信し、認証してアクセス制限解除の可否を決定する。
【００８２】
以下、図８を用いて、この実施の形態のＩＣカード判定システムを用いたＩＣカードのアクセス制限を解除する方法の実施の形態を説明する。アクセス制限を解除する方法のシステムの概略は図３と同じである。最初にステップＳ３１において、ＣＣＤ撮像装置Ｄ２を用いて、ＩＣカードのすかし画像をＰＣへ取り込む。
【００８３】
次に、ステップＳ３２において、得られた画像情報から前述のような方法を用いて、真贋判定に用いる識別情報であるすかし識別情報を取得する。
【００８４】
次にステップＳ３３において、ＰＩＮを作成する。ＰＩＮ作成方法としては、公知の方法を用いてもよい。例えば、すかし識別情報から認識した文字データそのものをＰＩＮとして用いる。
【００８５】
次にステップＳ３４において、作成したＰＩＮ情報をＩＣチップ側へ送付する。
【００８６】
次にステップＳ３５において、送付されたＰＩＮ情報を用いてＩＣ内部におけるＣＰＵ等の判定手段がアクセス制限を解除してアクセス許可してよいかどうかを判断する。アクセスが許可されれば、ステップＳ３６においてＰＣはＩＣ内部の記憶情報にアクセスを開始する。アクセスが許可されなければ、ＰＣはＩＣ内部の記憶情報にアクセスできず、フローは終了する。
【００８７】
このように、すかし識別情報を基に、ＩＣ内部に記憶した情報へのアクセスの許諾を判断することができる。
【００８８】
なお、第二識別情報等からＩＣチップへアクセスするステップへの許可を行うステップを付加してもよい。例えば、前述したような真贋判定方法を用いてＩＣカードの真贋を判定し、ＩＣカードが真性品であると分かった時点でアクセス許可する。図８で示したフローにおいては、ステップＳ３５とステップＳ３６の間に、ＩＣカードの真贋判定のステップを追加する。また、使用者がシステム中に設けられたキーボード等の入力装置を用いてＰＩＮ情報を入力し、予め使用者が決め置いたＰＩＮ情報と照合し、システムに設けられたＣＰＵ等の判定手段がアクセス許可してよいか判断するようにしてもよい。図８で示したフローにおいては、ステップＳ３５とステップＳ３６の間に、使用者がＰＩＮ情報を入力してシステムの判定手段が判定するステップを追加する。
【００８９】
なお、ＰＩＮには第２識別情報であるすかし識別情報を用いずに、第１識別情報であるカード表面識別情報を用いてもよい。
【００９０】
次に、第５の実施の形態について説明する。第４の実施例において、ＰＩＮの作成に用いる情報はすかし識別情報のみであった。第５の実施の形態においては、ＰＩＮの作成に用いる情報としてさらにカード表面識別情報を追加して用いる。こうすることで、ＰＩＮの秘匿性を高め、ＩＣ内部に記憶した情報へのアクセス制限を、より厳密にすることができる。以下、図９を用いて説明する。
【００９１】
アクセス制限を解除する方法のシステムの概略は図３と同じである。
【００９２】
最初に、ＩＣカード表面画像とすかし画像を取り込み、ＩＣカード識別情報とすかし識別情報を取得する工程は、第１の実施形態のステップＳ１からステップＳ４までと同じである。
【００９３】
次にステップＳ４１において、カード表面識別情報とすかし識別情報とを用いてＰＩＮを作成する。ＰＩＮの作成方法としては、公知の方法を用いてもよい。例えば、カード表面識別情報とすかし識別情報から認識した文字データを組み合わせた文字データをＰＩＮとして用いる。
【００９４】
次にステップＳ４２において、作成したＰＩＮ情報をＩＣチップ側へ送付する。
【００９５】
次にステップＳ４３において、送付されたＰＩＮ情報を用いてＩＣ内部におけるＣＰＵ等の判定手段がアクセス制限を解除してアクセス許可してよいかどうかを判断する。アクセスが許可されれば、ステップＳ４４において、ＰＣはＩＣ内部の記憶情報にアクセスを開始する。アクセスが許可されなければ、ＰＣはＩＣ内部の記憶情報にアクセスできず、フローは終了する。
【００９６】
このように、すかし識別情報とカード表面識別情報とを基に、ＩＣ内部に記憶した情報へのアクセスの許諾を判断することができる。
【００９７】
次に、第６の実施の形態について説明する。第６の実施の形態においては、表面側からの光照射下において裏面側にてＩＣカードの観察を行ってすかし情報を認識することができても、裏面側からの光照射下において表面側にてＩＣカードの観察を行ってすかし情報が認識することができないようにする。例として第１の実施例に追加した場合を説明する。
【００９８】
ＩＣカード判定システムとしては、ＩＣカード判定システムの概略構成は図３の構成と同じである。
【００９９】
真贋判定のフローチャートについては、第１の実施例の真贋判定のフローチャート図である図４において、図１０に示すようにステップＳ４とステップＳ５の間にステップＳ５１とステップＳ５２を追加する。
【０１００】
ステップＳ５１では、ＩＣカード判定システム２００を用いて、裏面側からの光照射下において表面側にてＩＣカードの画像を取り込み、すかしの画像を取り込む。
【０１０１】
次に、ステップＳ５２では、得られたすかしの画像から、すかし識別情報を取得できるか判断する。ＩＣカードに形成されたすかしは、カード断面の中心位置よりも裏側に形成されているので、すかしから表面までのカードの厚みは、すかしから裏面までのカードの厚みより大きい。そのため、裏面側での観察によってすかし識別情報を取得できても表面側の観察によってはすかし識別情報を取得できないという状況を作りだすことができる。
【０１０２】
上記のようなＩＣカードを用いているので、ステップＳ４で裏面側のすかし情報を取得でき、かつ、ステップＳ５２で表面側の識別情報を取得できた場合（ステップＳ５２のＹＥＳ）には贋物と判定して（ステップＳ７）フローを終了する。一方、ステップＳ４で裏面側のすかし情報を取得できたが、表面ですかし識別情報を取得できなければステップＳ５に移り、真贋判定のフローを継続する。ステップＳ５以降のフローについては前述と同様である。
【０１０３】
なお、この実施の形態は、真贋判定だけでなく、ＩＣカードの認証方法についても採用することができる。裏面側からの光照射下において表面側にてＩＣカードの観察を行い、すかし情報を認識することができれば、アクセスを許可せず、すかし情報を認識することができなければ、アクセスを許可するフローを追加すればよい。
【０１０４】
次に、この発明のＩＣカードについて詳細に説明する。
＜支持体＞
支持体としては例えば、ポリエチレンテレフタレート、ポリブチレンテレフタレート、ポリエチレンテレフタレート／イソフタレート共重合体等のポリエステル樹脂、ポリエチレン、ポリプロピレン、ポリメチルペンテン等のポリオレフィン樹脂、ポリフッ化ビニル、ポリフッ化ビニリデン、ポリ４フッ化エチレン、エチレン−４フッ化エチレン共重合体、等のポリフッ化エチレン系樹脂、ナイロン６、ナイロン６．６等のポリアミド、ポリ塩化ビニル、塩化ビニル／酢酸ビニル共重合体、エチレン／酢酸ビニル共重合体、エチレン／ビニルアルコール共重合体、ポリビニルアルコール、ビニロン等のビニル重合体、生分解性脂肪族ポリエステル、生分解性ポリカーボネート、生分解性ポリ乳酸、生分解性ポリビニルアルコール、生分解性セルロースアセテート、生分解性ポリカプロラクトン等の生分解性樹脂、三酢酸セルロース、セロファン等のセルロース系樹脂、ポリメタアクリル酸メチル、ポリメタアクリル酸エチル、ポリアクリル酸エチル、ポリアクリル酸ブチル、等のアクリル系樹脂、ポリスチレン、ポリカーボネート、ポリアリレート、ポリイミド等の合成樹脂シート、又は上質紙、薄葉紙、グラシン紙、硫酸紙等の紙、金属箔等の単層体、或いはこれらを２層以上に積層した積層体が挙げられる。支持体の厚みは３０〜３００μｍ望ましくは５０〜２００μｍである。５０μｍ以下であると、第１の支持体と第２の支持体の貼り合わせ時に熱収縮等を起こし問題である。貼り合わせ時のカールや変形を抑えるために、第１の支持体、及び、第２の支持体は同一厚みであることが望ましい。また複数の支持体を積層してもよいが、表裏最表面の支持体、又は、表裏面における最も厚い支持体は、同一厚みであることが好ましい。
【０１０５】
熱収縮率を低減させるためにアニール処理を行ったりして得られた１５０℃／３０ｍｉｎにおける熱収縮率が縦（ＭＤ）で１．２％以下、横（ＴＤ）で０．５％以下の支持体を用いることが好ましい。縦（ＭＤ）で１．２％以上、横（ＴＤ）で０．５％以上であると支持体の収縮により上記した後加工が困難になることが確認された。また上記支持体上に後加工上密着性向上のため易接処理を行っていても良く、チップ保護のために帯電防止処理を行っていても良い。具体的には、帝人デュポンフィルム株式会社製のＵ２シリーズ、Ｕ４シリーズ、ＵＬシリーズ、東洋紡績株式会社製クリスパーＧシリーズ、東レ株式会社製のＥ００シリーズ、Ｅ２０シリーズ、Ｅ２２シリーズ、Ｘ２０シリーズ、Ｅ４０シリーズ、Ｅ６０シリーズＱＥシリーズを好適に用いることができる。
【０１０６】
第１の支持体は場合により、ＩＣカード利用者の顔画像を形成するため受像層、クッション層を設けてもよい。個人認証ＩＣカード基体表面には画像要素が設けられ、顔画像等の認証識別画像、属性情報画像、フォーマット印刷画像から選ばれる少なくとも一つの画像が設けられたものが好ましい。
【０１０７】
受像層用としては公知の樹脂を用いることができ、例えばポリ塩化ビニル樹脂、塩化ビニルと他のモノマー（例えばイソブチルエーテル、プロピオン酸ビニル等）との共重合体樹脂、ポリエステル樹脂、ポリ（メタ）アクリル酸エステル、ポリビニルピロリドン、ポリビニルアセタール系樹脂、ポリビニルブチラール系樹脂、ポリビニルアルコール、ポリカーボネート、三酢酸セルロース、ポリスチレン、スチレンと他のモノマー（例えばアクリル酸エステル、アクリロニトリル、塩化エチレン等）との共重合体、ビニルトルエンアクリレート樹脂、ポリウレタン樹脂、ポリアミド樹脂、尿素樹脂、エポキシ樹脂、フェノキシ樹脂、ポリカプロラクトン樹脂、ポリアクリロニトリル樹脂、及びそれらの変性物等を挙げることができるが、好ましいのは、ポリ塩化ビニル樹脂、塩化ビニルと他のモノマーとの共重合体、ポリエステル樹脂、ポリビニルアセタール系樹脂、ポリビニルブチラール系樹脂、スチレンと他のモノマーとの共重合体、エポキシ樹脂である。
＜ＩＣモジュール＞
ＩＣモジュールは、情報記録部材のことを示し、具体的にはＩＣカードの利用者の情報を電気的に記憶するＩＣチップ及びＩＣチップに接続されたコイル状のアンテナ体からなる。ＩＣチップはメモリや、マイクロコンピューター等からなる。必要に応じてＩＣチップを保護する保護部材を設けても良い。場合によりＩＣモジュールにコンデンサーを含んでもよい。本発明はこれに限定はされず情報記録部材に必要なＩＣモジュールであれば特に限定はない。
【０１０８】
ＩＣモジュールはアンテナコイルを有する。アンテナパターンを有する場合、アンテナパターンは、導電性ペースト印刷加工、銅箔エッチング加工、巻線溶着加工等の方法を用いて作製する。プリント基板としては、ポリエステル等の熱可塑性のフィルムが用いられ、さらに耐熱性が要求される場合はポリイミドが有利である。ＩＣチップとアンテナパターンとの接合には、銀ペースト、銅ペースト、カーボンペースト等の導電性接着剤（日立化成工業のＥＮ−４０００シリーズ、東芝ケミカルのＸＡＰシリーズ等）や、異方性導電フィルム（日立化成工業製アニソルム等）を用いる方法や、半田接合を行う方法が知られており、いずれの方法を用いてもよい。
＜第１の支持体と、第２の支持体との接着方法＞
本発明の第１の支持体と第２の支持体との間に所定のＩＣモジュールとを設けて接着する方法としては、熱貼合法、接着剤貼合法及び射出成形法が知られているが、いずれの方法で貼り合わしてもよい。また、第１の支持体と第２の支持体には、貼り合わせる前後のいずれかにフォーマット印刷又は、情報記録を行ってもよく、オフセット印刷、グラビア印刷、シルク印刷、スクリーン印刷、凹版印刷、凸版印刷、インクジェット印刷、昇華転写印刷、電子写真印刷、熱溶融印刷等のいずれの印刷方式によっても印刷することができる。
【０１０９】
貼り合わせ時には、基材の表面平滑性や、第１の支持体と第２の支持体との間に所定のＩＣモジュールの密着性をあげるために加熱及び加圧を行うことが好ましく、上下プレス方式、ラミネート方式等で製造することが好ましい。
【０１１０】
さらにはＩＣ部品の割れを考慮して、貼り合わせ時の樹脂、接着剤の粘度は１０万ｃｐｓ以下と低いことが好ましい。加熱は、１０〜１２０℃が好ましく、より好ましくは３０〜１００℃である。加圧は、０．１〜３００ｋｇｆ／ｃｍ2が好ましく、より好ましくは０．１〜１００ｋｇｆ／ｃｍ2である。これより圧力が高いとＩＣチップは破損する。加熱時間及び加圧時間は好ましくは、０．１〜１８０ｓｅｃより好ましくは０．１〜１２０ｓｅｃである。
＜接着剤＞
接着剤を用いて貼り合わせを行う接着剤貼合法の場合に、採用する接着剤としては、特に制限がない。ホットメルト接着剤としては、一般に使用されているものを用いることができる。ホットメルト接着剤の主成分としては、例えばエチレン・酢酸ビニル共重合体（ＥＶＡ）系、ポリエステル系、ポリアミド系、熱可塑性エラストマー系、ポリオレフィン系等が挙げられる。但し本発明においては、ＩＣカード基体がそりやすい場合や、ＩＣカード表面に感熱転写による画像形成のための受像層等の高温加工に弱い層が設けられている場合に、層がダメージを受ける。また、高温で貼り合わせるために基材が熱収縮等を起こし、寸法及び貼り合わせ時の位置精度が劣化する等の問題点がある。この問題点を解決するために、接着剤を介して貼り合わせる場合には、８０℃以下で貼り合わせることが好ましく、さらには１０〜８０℃、さらに好ましくは２０〜８０℃の温度下で貼り合わせを行う。
【０１１１】
接着剤の膜厚は、本発明の範囲であればＩＣモジュールと含めた厚さで１０〜６００μｍが好ましく、より好ましくは１０〜５００μｍ、さらに好ましくは１０〜４５０μｍである。
【０１１２】
貼りあわせ後のカードの透過濃度については、透過光により識別可能で反射光では識別できないすかし情報を設けるために、ＪＩＳのＸ６３０１−１（２００１）で規定されるカードの透過濃度は、１．３以上２．０以下が好ましく、１．５以上１．８以下がさらに好ましい。１．８以上では隠蔽性が高すぎ、情報の識別が難しくなり、また、１．５以下では、ＩＣカード内に設けるすかし情報や、ＩＣチップ位置が見えやすくなり、セキュリティ性が低下する。
【０１１３】
接着剤の透過濃度に特に制限はないが、表裏の支持体を貼りあわせた後のカードの透過濃度が上記のとおりとなるように選択することが好ましい。接着剤に顔料を分散して用い透過濃度や光散乱度を調整することができる。
＜情報記録＞
ＩＣカード表面画像、及びすかし画像の形成方法については、特に制限なく一般の画像形成方法が適宜用いることができる。
【０１１４】
ＩＣカード表面画像としては、反射光にて識別可能な情報として、顔画像、指紋、氏名、住所、年齢、会社名、所属、印鑑、認証番号等の、意匠、記号、文字情報が選択され記録される。
【０１１５】
顔画像は通常の場合、階調を有するフルカラー画像で、例えば昇華型感熱転写記録方式、ハロゲン化銀カラー写真方式等により作製される。また、文字情報画像は２値画像よりなり、例えば溶融型感熱転写記録方式、昇華型感熱転写記録方式、ハロゲン化銀カラー写真方式、電子写真方式、インクジェット方式等により作製されている。本発明においては、昇華型感熱転写記録方式により顔画像等の個人情報画像を記録することが好ましい。
【０１１６】
文字情報としては氏名、住所、生年月日、資格、識別番号等であり、溶融型感熱転写記録方法を用いた印刷が一般的である。シンボルマークや印章や印鑑等の意匠の印刷については、いずれの方法も適用できる。オフセット印刷、グラビア印刷、シルク印刷、スクリーン印刷、凹版印刷、凸版印刷、インクジェット印刷、昇華転写印刷、電子写真印刷、熱溶融印刷等のいずれの印刷方式によっても形成することができる。
【０１１７】
ＩＣチップには、情報として照合に用いる照合情報の他、ＩＣチップの製造番号や製造ロット、検査情報、製造者、個人識別情報として顔画像、指紋、氏名、住所、年齢、会社名、所属、印鑑、認証番号等から選ばれ記憶される。情報は暗号化されていることがセキュリティ上好ましい。また、ハッシュ関数や暗号鍵等の公知の照合方法を組み込んでおくことが好ましい。
【０１１８】
次に、ＩＣカードの作製例と作製したＩＣカードを用いた真贋判定実験等を行ったので詳述する。
【０１１９】
図２に示すように、二つの支持体間の間に、ＩＣチップとアンテナコイルからなるＩＣモジュール、接着剤等を配したＩＣカードを作製した。
（第１の支持体について）
白色顔料を混入した１８８μｍＰＥＴを支持体材料に用いた。表面側に予め受像層を塗布乾燥し形成し、予め凸版印刷にてフォーマット印刷を施した。
（第２の支持体について）
白色顔料を混入した１８８μｍ厚のＰＥＴを支持体材料に用いた。裏面側に予め筆記可能な筆記層を塗布乾燥し形成した。
（すかし画像の記録について）
次に、第２の支持体のＩＣカード内側に相当する面に、すかしとして黒色顔料インクを用いてインクジェット印刷にて意匠の記号を設けた。
（ＩＣモジュールについて）
エッチングによりアンテナコイルの形成された厚み３８μｍの支持体上に、厚み６５μｍ、３×３ｍｍ角のＩＣチップを厚み２０μｍの導電性接着剤を介して接合し、その上にＳＵＳ３０１からなる厚み１２０μｍの４×４ｍｍ角板状の補強板を回路面と反対側にエポキシ系樹脂を１０μｍの厚さで接着させ、ＩＣモジュールを作製した。
（接着剤について）
反応型ホットメルト接着材（Ｈｅｎｋｅｌ社製Ｍａｃｒｏｐｌａｓｔ  ＱＲ３４６０（湿気硬化型接着剤））を使用した。
（ＩＣカードの貼り合わせについて）
ＩＣカード製造装置を使用し、第１の支持体及び第２の支持体を接着剤貼合法を用いて作製した。
【０１２０】
受像層を有する第１の支持体に反応型ホットメルト接着剤をＴダイを使用して、厚みが４０μｍになるように塗工し、第２の支持体に反応型ホットメルト接着剤をＴダイを使用して厚みが３００μｍになるように塗工した。
【０１２１】
接着剤が付いた第１の支持体に図２に示す構成のＩＣモジュールＣを回路面が第２の支持体側になるように載置し、上下のシートで挟み込み、７０℃で１分間ラミネートして作製した。このように作製されたＩＣカード用シートの厚みは７６０μｍであった。作製後は２５℃、５０％ＲＨの環境化で７日間保存した。
【０１２２】
すかし識別情報の取り込みを試みた。ＣＣＤ撮像装置をＩＣカード表面側に配置し、観察者側に照明装置を配して点灯させ、画像を取り込み、ＯＣＲで文字情報の認識を試みたが、認識できなかった。次に、観察者とは反対側にＣＣＤ撮像装置を配して点灯させ、画像を取り込み、ＯＣＲで文字情報の認識を試みたところ、認識することができた。
【０１２３】
透過光で識別可能な情報以外の場所のＪＩＳのＸ６３０１−１（２００１）で規定される最低透過濃度は１．６であった。透過光にて認識可能な情報部の最大透過濃度は、２．０であった。
（打ち抜き加工について）
このように作製されたＩＣカードに対して、打ち抜き金型装置を用いて、打ち抜き加工を施した。
（ＩＣカード表面への情報の記録）
次に、以下のようにフォーマット印刷により、顔画像、会社印章意匠の画像、識別番号、発行年月日、氏名、所属の文字情報を設けたＩＣカードの作製を行った。
（画像情報の形成）
受像層と昇華型感熱転写記録用のインクシートのインク側を重ね合わせ、インクシート側からサーマルヘッドを用いて、出力０．２３Ｗ／ドット、パルス幅０．３〜４．５ｍ秒、ドット密度１６ドット／ｍｍの条件で受像層に印刷することにより、階調性のある人物画像を形成した。
（文字情報の形成）
溶融型感熱転写記録用のインクシートのインク側をＩＣカード表面側に重ね合わせ、インクシート側からサーマルヘッドを用いて出力０．５Ｗ／ドット、パルス幅１．０ｍ秒、ドット密度１６ドット／ｍｍの条件で印刷することにより、黒色文字情報をＩＣカード表面側に形成した。
（表面保護層の形成）
表面保護として、ＩＣカード表面に、厚み２５μｍのポリエチレンテレフタレートフィルムに厚み８μｍの透明なＵＶ硬化型樹脂を設けた転写箔を、表面温度２００℃に加熱したヒートローラーを用いて押圧することで転写をおこない、透明表面保護層を形成した。
（ＩＣチップへの情報の記録）
ＩＣカード表面に記載した情報と同一の情報をＩＣチップ内に非接触にてリーダライタで記録し、アクセス用のＰＩＮを設けた。
【０１２４】
次に真贋判定の実施例について説明する。
（真贋判定例１）
第１の実施形態に相当する真贋判定例を以下に示す。作製したＩＣカードの表面には、予め決めおいた識別番号を付与し、ＩＣカードの内部には、すかしとして予め決めおいた意匠を作製した。意匠には２ヶの星形状の線図を採用した。
【０１２５】
ＩＣカード判定システムとしては図３に示した装置を用いた。作製したＩＣカードの表面より可視光を透過させ、ＩＣカード裏側に配した高解像度のＣＣＤ撮像装置Ｄ２で透過画像を撮像し、図１１（ａ）に示すような画像を得た。この画像から透過濃度分布の情報を図１１（ｂ）のようなグラフ（ＡＢ断面内透過濃度）として得、意匠の画像の輪郭をはっきりと認識できた。さらに、この透過濃度分布の情報を基に、画像識別処理を施し、星形状の頂点位置、及び、星形状の大きさを特徴点として認識できた。特徴点の数や大きさを基に、予め決めおいた規則により、識別番号を抽出した。
【０１２６】
具体的には、星形状の数が２ヶ、１ヶの星形状が有する頂点の数が１０ヶ、星形状自体を示す数字が１００とした場合、それらを直列に並べることで、２１０１００なる識別番号を得た。
【０１２７】
次に、観察者側に配した照明装置を点灯させ、反射光による画像を表側に設置したＣＣＤ撮像装置Ｄ１で撮像し、同じく画像処理を施し、識別番号を抽出した。
【０１２８】
具体的には、ＩＣカード表面に予め定めた位置に、００１０１２なる数字を書き込むとし、識別番号はその数字を逆から読むものとすると２１０１００なる識別番号を得ることができる。このように読み取られた識別番号をＰＣが比較し、同一であることが判定できた。これにより、このＩＣカードは真性品であると判定できた。
（真贋判定例２）
次に、第２の実施形態に相当する真贋判定例を以下に示す。真贋判定例１で用いた識別情報と、ＩＣ内に記憶されたＰＩＮを比較し、真贋判定を行うである。
【０１２９】
前述のように、作製したＩＣカードの表面には、予め決めおいた識別番号を付与し、ＩＣカードの内部には、すかしとして予め決めおいた２ヶの星形状の意匠を作製し、ＩＣ内部にはＰＩＮを設けた。
【０１３０】
ＩＣカード判定システムとして前述と同様に図３に示した装置を用い、すかしを撮像し、画像識別処理を施し、識別番号を抽出した。
【０１３１】
次に、反射光によりＩＣカード表面の画像を撮像し、画像処理を施して識別番号を抽出した。
【０１３２】
具体的には、すかしから得られた識別番号が３１０１００、ＩＣカード表面の画像から得られた識別番号を３１０１００であった。
【０１３３】
次にＩＣ内部に記憶された識別番号を抽出したところ、３１０１００なる識別番号が得られた。
【０１３４】
このように読み取られた識別番号をＰＣが比較し、すかしから得られた識別番号と、ＩＣカード表面の画像から得られた識別番号ともにＩＣ内部に記憶された識別番号と同一であることが判定できた。これにより、このＩＣカードは真性品であると判定できた。
（真贋判定例３）
次に、第６の実施形態に相当する真贋判定例を以下に示す。前述の真贋判定例１は、ＩＣカードの裏面から照明し、ＩＣカードの表面側において、観察される透過画像からすかしの識別情報を得る方法である。これに加えて、ＩＣカードの表面から照明し、ＩＣカードの裏面側において、観察される透過画像からすかしの識別情報を得られないことを真贋判定の基準に用いる。
【０１３５】
ＩＣカード判定システムとしては図３に示した装置を用いた。前述の真贋判定例１において示した判定方法はそのまま実施する。さらに、観察の位置を異ならせてすかしの観察を行うため、裏面側照明装置Ｓ１のみを点灯させ、ＣＣＤ撮像装置Ｄ１を用いてＩＣカードの画像を撮像した。得られた画像を図１２（ａ）に示す。
【０１３６】
この画像からＡＢ断面内透過濃度のグラフを図１２（ｂ）のように得たが、真贋判定例１の場合等に撮像した画像に比べて輪郭のぼやけた透過濃度の分布となった。得られた画像に画像識別処理を施したが、すかし識別情報を取得できなかった。このように認識が可能でないことが判明したので、このＩＣカードは真性品であると判断できた。
【０１３７】
以上のように、本実施の形態によれば、ＩＣカードの裏面側において観察される透過画像からすかしの識別情報を得られないことを真贋判定の基準に用いるので、確実に真正品であるか贋物であるかを判定でき、セキュリティ性を向上することができる。
（ＩＣカード認証例）
次に、次に、第３の実施形態に相当するＩＣカード認証例の例を示す。
【０１３８】
前述のように、作製したＩＣカードの表面には、予め決めおいた識別番号を付与し、ＩＣカードの内部には、すかしとして予め決めおいた２ヶの星形状の意匠を作製し、ＩＣチップにＰＩＮを記憶させた。
【０１３９】
ＩＣカード判定システムとして前述と同様に、図３に示した装置を用い、すかしを撮像し、画像識別処理を施し、識別番号を抽出した。
【０１４０】
また、反射光によりＩＣカード表面の画像を撮像し、画像処理を施して識別番号を抽出した。
【０１４１】
具体的には、すかしから得られる識別番号が３１０１００であり、ＩＣカード表面の画像から得られる識別番号を２００であるとする。そして、ＰＩＮは両者を合わせた数字である３１０１００２０１と定める。
【０１４２】
このＰＩＮを用いて認証を行ったところ、ＩＣチップに記憶されたＰＩＮと同じであったことから、ＩＣチップ内部情報へアクセスでき、内部情報を読むことができた。
【図面の簡単な説明】
【０１４３】
【図１】ＩＣカードを一部破断した平面を示す図である。
【図２】ＩＣカードの層構成を示す図である。
【図３】ＩＣカードの判定システムを示す図である。
【図４】ＩＣカードの真贋判定に係るフロー図である。
【図５】ＩＣカードの真贋判定に係るフロー図である。
【図６】ＩＣカードの真贋判定に係るフロー図である。
【図７】ＩＣカードのすかしを示す図である。
【図８】ＩＣカードの認証に係るフロー図である。
【図９】ＩＣカードの認証に係るフロー図である。
【図１０】ＩＣカードの真贋判定に係るフロー図である。
【図１１】ＩＣカードのすかしを示す図である。
【図１２】ＩＣカードのすかしを示す図である。
【符号の説明】
【０１４４】
１  ＩＣカード
１１  すかし
１２  表面情報
Ｃ１  ＩＣチップ
Ｄ１、Ｄ２  ＣＣＤ撮像装置
Ｓ１  表面側照明装置
Ｓ２  裏面側照明装置
【図１】
2009193112.tif 000003
【図２】
2009193112.tif 000004
【図３】
2009193112.tif 000005
【図４】
2009193112.tif 000006
【図５】
2009193112.tif 000007
【図６】
2009193112.tif 000008
【図７】
2009193112.tif 000009
【図８】
2009193112.tif 000010
【図９】
2009193112.tif 000011
【図１０】
2009193112.tif 000012
【図１１】
2009193112.tif 000013
【図１２】
2009193112.tif 000014